(57)【特許請求の範囲】
【請求項１】
コンクリート、組積構造等の硬い基礎構造用の固定素子であって、外面（２６）に少なくとも部分的にタッピンねじ（２７）を設けた基体（２２；４２；６２）を有し、この基体は、底部（２３；４３；６３）を備えた第１端部（２４；６４）と、この第１端部（２４；６４）とは反対側の第２端部（２５）を有し、前記基体（２２；４２；６２）には、据え付けツールのための内側掛合手段（２８；４８；６８）と、前記第２端部（２５）に開口する収容部（２９）とを設け、この収容部（２９）には、荷重掛合手段（３０；５０）を設け、したがって、前記収容部（２９）が前記掛合手段（２８；４８；６８）の前記第２端部（２５）の方向に連続するようにした該固定素子において、前記掛合手段（２８；４８；６８）を、前記底部（２３；４３；６３）における貫通開口（３１；５１；７１）として構成したことを特徴とする固定素子。
【請求項２】
前記貫通開口（３１；５１；７１）の最大直径（Ｅ１；Ｅ２；Ｅ３）を、基体（２２；４２；６２）のコア直径（Ｄ１；Ｄ２；Ｄ３）の５０％〜８０％に相当する寸法としたことを特徴とする請求項１記載の固定素子。
【請求項３】
前記荷重掛合手段（５０）と、底部（４３）との間に据え付けツールを案内するための遷移領域（５２）を設けたことを特徴とする請求項１または２記載の固定素子。
【請求項４】
前記基体（６２）の第１端部（６４）を円錐形状にしたことを特徴とする請求項１〜３のうちいずれか一項記載の固定素子。
【発明の詳細な説明】
【技術分野】
【０００１】
本発明は、コンクリート、組積構造等の硬い基礎構造用の固定素子であって、特許請求の範囲請求項１の前半部分に記載したような固定素子に関するものである。
【背景技術】
【０００２】
このような固定素子は、コンクリート、組積構造等の硬い基礎構造における固定に使用する。固定素子は、基礎構造に予め作成した中ぐり穴内に、適切な据え付けツールによって、ねじ込む。この際、タッピンねじが、基礎構造あるいは中ぐり穴の側壁に相補的なねじを作成する。固定素子は、このようにして作成されたアンダーカット（切り込み）により基礎構造に固定される。収容部に設けた荷重掛合手段は、例えば雌ねじとし、この雌ねじ内にねじ棒又はボルトのような固定手段をねじ込んで固定する。荷重掛合手段として、雌ねじの代わりに、バヨネット連結部を設けることができる。
【０００３】
特許文献１には、円筒状の基体を有するこの種の固定素子が記載されており、この基体は、固定素子の据え付け方向側で底部を備えた第１端部と、この第１端部とは反対側の第２端部とを有する。この基体の外面には、タッピンねじを設ける。基体には、据え付けツールのための内側掛合手段と、第２端部で開口する収容部とを設ける。この収容部は、掛合手段に対して第２端部の方向に連続し、荷重掛合手段としての雌ねじを設ける。この荷重掛合手段は、第１端部の端部領域において、タッピンねじの端部と同じ基体の軸線方向位置に配置される。
【特許文献１】欧州特許公開第１５３６１４９号明細書
【０００４】
既知の従来技術は、収容部の底部に設ける内側掛合手段の製造に相当な費用がかかり、それゆえコストが大きいという欠点がある。
【０００５】
そのため、このような固定素子の製作可能性は強く制限されている。現在、このような固定素子を大量生産できれば、経済的に製造することができ、競争上の優位性を有する。
【０００６】
特許文献２には、漆喰の天井に照明を懸垂固定するための上述のような自己穿孔する貫通案内付きスリーブが記載されている。この貫通案内付きスリーブは、円筒状の基体を有し、その基体は、固定素子の据え付け方向側の第１端部と、この第１端部とは反対側の第２端部とを有する。基体の外面にはねじを設ける。第１端部には２個の切削素子を設け、貫通案内付きスリーブの据え付けの際に、これらの切削素子によって、漆喰の天井に貫通案内付きスリーブ用の開口部を作成する、基体の第１端部と第２端部とのの間には、据え付けツールのための内側掛合手段を設け、その内側掛合手段は、同時に貫通案内開口としても使用する。さらに、基体には、第２端部で開口する収容部を設け、この収容部は、内側掛合手段に対して第１端部の方向に連続する。
【特許文献２】米国特許第５，６３０，６８８Ａ号明細書
【０００７】
しかし、この既知の従来技術は、コンクリート、組積構造等の硬い基礎構造に対して、自己穿孔するの貫通案内付きスリーブを利用できないという欠点がある。
【０００８】
硬い基礎構造用のタッピンねじを有するこのような貫通案内付きスリーブが得られれば、第１端部における切削は不要になる。
【発明の開示】
【発明が解決しようとする課題】
【０００９】
本発明の課題は、構成簡単で経済的に製造できる硬い基礎構造用の固定素子を得ることにある。
【課題を解決するための手段】
【００１０】
この課題は特許請求の範囲独立請求項の特徴により解決される。有利な実施例は従属請求項に記載する。
【００１１】
本発明によれば、掛合手段を、底部に設けた貫通開口により構成する。
【発明の効果】
【００１２】
据え付けツールのための掛合手段は、本発明による固定素子の製造中に形成することができる。この場合、基体の第１端部側から、もしくは第２端部側から掛合手段を形成することができる。したがって、本発明固定素子の製造に、多様な、簡単かつ経済的な製造方法を投入できる。さらに、固定素子の前方における中ぐり穴の空間は、固定素子を据え付けた後でも、外部から掛合手段を経てアクセス可能であり、例えばモルタルを充填することができる。
【発明を実施するための最良の形態】
【００１３】
好適な実施例においては、収容部もしくは荷重掛合手段は、基体の第２端部から内側掛合手段まで延在させる。この構成によれば、固定手段を介しての荷重伝達のため、荷重掛合手段の全体を有効利用できる。変更例としては、固定手段のための荷重掛合手段を、収容部内で内側掛合手段および第２端部のうち少なくとも一方から間隔を空けた位置まで延在させる。
【００１４】
好適には、貫通開口の最大直径を、基体のコア直径の５０％〜８０％に相当する寸法とする。この構成によれば、据え付けツールのための掛合手段を安定した構造にし、本発明による固定素子を硬い基礎構造にねじ込む高い回転モーメントをもたらすことができる。本明細書中、基体のコア直径とは、タッピンねじを含まない円筒状の基体の外形あるいはねじ基底の直径を測定したものと理解されたい。
【００１５】
荷重掛合手段と底部との間に、据え付けツールを案内するための遷移領域が設けると有利である。遷移領域は、据え付けツールの挿入に際して掛合手段に誘導されるように形成されると有利である。例えば、遷移領域は半球キャップ状又は皿状に形成する。代替案として、遷移領域は例えば漏斗状の形状にすることができる。さらに、遷移領域によれば、据え付けツールが掛合手段に掛合する際に据え付けツールのための大きな掛合面を生じ、このことは遷移領域のない固定素子の場合よりも高い回転モーメントを導入することができる。
【００１６】
好適には、基体の第１端部を円錐状の形状にする。この構成によれば、予め作成した中ぐり穴に対して本発明固定素子の挿入を容易にし、また中ぐり穴に対する固定素子の心出しを可能にする。さらに、円錐状の形状は、据え付けツールが掛合手段に掛合する際に、据え付けツールのための大きな掛合面を生じ、このことは高い回転モーメントを導入することができるようになる。
【００１７】
好適な実施例として、本発明による固定素子は、荷重掛合手段と底部との間に遷移領域を設けるとともに、基体の第１端部を円錐状の掛合にする。
【００１８】
以下の詳細説明及び請求項全体の記載により、本発明の他の好ましい実施形態及び本発明の特徴の組み合わせが可能であることは明らかであろう。
【実施例１】
【００１９】
図１に示す硬い基礎構造１１のための固定素子２１の第１実施例は、円筒状の基体２２を有し、その外面２６にはタッピンねじ２７を設ける。体２２は、据え付け方向Ｓ側の底部２３を有する第１端部２４と、この第１端部２４とは反対側の第２端部２５とを有する。さらに、基体２２は据え付けツールのための内側掛合手段２８を有し、その内側掛合手段２８は底部２３における貫通開口３１として構成する。貫通開口３１の最大直径Ｅ１は、基体２２のコア直径Ｄ１の約７０％に相当する。さらに、基体２２は第２端部２５で開口する収容部２９を有し、この収容部２９には荷重掛合手段３０として雌ねじを設け、この荷重掛合手段３０は、内側掛合手段２８に対して第２端部２５の方向に連続する。
【００２０】
固定素子２１を据え付けるため、まず硬い基礎構造１１―図示の実施例では例えばコンクリート構造部分―に中ぐり穴１２を予め形成し、この中ぐり穴１２内に固定素子２１を挿入する。図示しない適切な据え付けツールにより内側掛合手段２８を介して回転モーメントを固定素子２１に伝達することにより、固定素子２１を中ぐり穴１２にねじ込む。その際、タッピンねじ２７は中ぐり穴の側壁１３にアンダーカット（切り込み）をなす相補的なねじを作成する。貫通開口３１から、固定素子２１の前方空間１４にアクセスでき、この前方空間１４には、例えばモルタルを充填することができる。
【実施例２】
【００２１】
図２および図３に示す硬い基礎構造のための固定素子４１の第２実施例は、図１に示した固定素子２１の実施例で説明した要素の他に、さらに荷重掛合手段５０として作用する雌ねじと底部４３との間に、固定素子４１内に据え付けツールを案内するための半球キャップ状の遷移領域５２を設ける。据え付けツールを操作するための掛合手段４８の接触面は、図１に示す実施例における掛合手段２８の接触面よりも、大幅に拡張する。代替案として、遷移領域５２は例えば円錐状にすることもできる。
【００２２】
特に図３に明らかなように、貫通開口５１として構成した据え付けツールのための掛合手段４８は、トルクレンチのような据え付けツールが底部４３で掛合できるよう構成する。貫通開口５１の最大直径Ｅ２は、基体４２のコア直径Ｄ２の約８０％に相当する寸法とする。
【実施例３】
【００２３】
図４に示す硬い基礎構造のための固定素子６１の第３実施例は、円錐状に整形した第１端部６４を有する基体６２を設ける。掛合手段６８は、貫通開口７１として底部６３に設ける。据え付けツールを操作するための掛合手段６８の接触面は、図１に示す掛合手段２８の接触面に比べて、大幅に拡張する。第１端部６４の円錐状の形態は、固定素子６１を中ぐり穴内に挿入し易くし、また固定素子６１を中ぐり穴内にねじ込む際の心出しを支援する。貫通開口７１の最大直径Ｅ３は、基体６２のコア直径Ｄ３の約５０％に相当する寸法とする。
【図面の簡単な説明】
【００２４】
【図１】本発明による固定素子の第１実施例を据え付けた状態の縦断面図である。
【図２】本発明による固定素子の第２実施例の縦断面図である。
【図３】図２に示す固定素子を矢印III‐III方向に見た端面図である。
【図４】本発明による固定素子の第３実施例の縦断面図である。
【符号の説明】
【００２５】
１１  硬い基礎構造
１２  中ぐり穴
１３  中ぐり穴の側壁
１４  前方空間
２１  固定素子
２２  基体
２３  底部
２４  第１端部
２５  第２端部
２６  外面
２７  タッピンねじ
２８  掛合手段
２９  収容部
３０  荷重掛合手段
４１  固定素子
４２  基体
４３  底部
４８  掛合手段
５０  荷重掛合手段
５１  貫通開口
５２  遷移領域
６１  固定素子
６２  基体
６３  底部
６４  第１端部
６８  掛合手段
７１  貫通開口
【図１】
0004813300.tif 000002
【図２】
0004813300.tif 000003
【図３】
0004813300.tif 000004
【図４】
0004813300.tif 000005